(57)【特許請求の範囲】
【請求項１】
車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、
前記支持部の手前側の面に脱着自在に取付けられて水平方向に延び、前記支持部と共に前記内装部の挿入凹部内に挿入自在とされると共に、容器を挿着自在な容器挿着部と、
前記容器挿着部に設けられ、前記容器挿着部と平行に水平方向に延び、前記容器挿着部と共に前記内装部の挿入凹部に挿入可能な非使用位置と、前記容器挿着部と直交して垂直方向に延びる使用位置との間で回動自在な把手部
を具備することを特徴とする脱着式カップホルダ。
【請求項２】
車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、
前記支持部の手前側の面に並設して脱着自在に取付けられて水平方向に延び、前記支持部と共に前記内装部の挿入凹部内に挿入自在とされると共に、各々が容器を挿着自在な複数の容器挿着部と、
前記複数の容器挿着部を互いに一体的に連結する連結手段と、
前記支持部の手前側の面に脱着自在に取付けられて水平方向に延び、前記支持部と共に前記内装部の挿入凹部内に挿入自在とされると共に、容器を挿着自在な容器挿着部と、
前記容器挿着部に設けられ、前記容器挿着部と平行に水平方向に延び、前記容器挿着部と共に前記内装部の挿入凹部に挿入可能な非使用位置と、前記容器挿着部と直交して垂直方向に延びる使用位置との間で回動自在な把手部
を具備することを特徴とする脱着式カップホルダ。
【請求項３】
前記容器挿着部は、左右一対に構成され、前記支持部と容器挿着部は、前記左右の容器挿着部を上方に引っ張り上げ、前記左右の容器挿着部にそれぞれ設けられた係止手段の係止突起と係止孔との係合を解除することにより、前記左右の容器挿着部を支持部から取り外すことができることを特徴とする請求項１または請求項２に記載の脱着式カップホルダ。
【発明の詳細な説明】
【０００１】
【発明の属する技術分野】
本発明は自動車のインストルメントパネルのセンター部、オーディオパネル等に内装されるカップホルダに関するものであり、特に、インストルメントパネル等から脱着自在とした脱着式カップホルダに関するものである。
【０００２】
【従来の技術】
従来のこの種のカップホルダは、例えば、インストルメントパネルのオーディオ装置の下側に設けられ、紙コップ、飲料缶等の飲料容器を挿着可能な円形の挿着孔を穿設した平板状の支持板を備えている。そして、非使用時には、前記支持板をインストルメントパネル内部に挿入してロックし、使用時には、支持板の手前側の面である露出面を軽く押圧することにより、支持板のロックを解除して、ばね力により支持板をインストルメントパネルから使用者側である手前側に自動的に押し出して、その挿着孔に飲料容器を挿着可能とするようになっている。
【０００３】
【発明が解決しようとする課題】
従来のカップホルダは、上記のように、飲料を飲用する使用者の所望時に、支持板をインストルメントパネルから外部に突出させ、その挿着孔に紙コップ等を挿着して、使用者の便宜に供することができる。しかし、使用者は、飲料の飲用時には、自身の手により紙コップ等を直接把持する必要があり、特に、紙コップにホットコーヒーを入れた場合のように、温度の高い飲料を収容する飲料容器の場合、使用者が熱くて飲料容器を把持困難なことも考えられる。
【０００４】
また、従来のカップホルダは、インストルメントパネル等、車内の定位置に固定的に設けられており、その他の位置で使用することはできない。よって、その他の場所でも飲料容器を挿着保持したい場合、従来は、後付けのカップホルダをドアの上端等の所望の場所に装着し、飲料容器を挿着保持している。更に、従来のカップホルダは、その上下にオーディオ装置乃至灰皿が位置するため、オーディオ装置乃至灰皿の使用時には、カップホルダを同時に使用することは困難である。
【０００５】
そこで、本発明は、所望時にインストルメントパネル等から自由に取り外して任意の場所で使用することができ、常に紙コップ等の容器の保持の用に供することができる脱着式カップホルダの提供を課題とするものである。
【０００６】
【課題を解決するための手段】
請求項１にかかる脱着式カップホルダは、車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、前記支持部の手前側の面に脱着自在に取付けられて水平方向に延び、前記支持部と共に前記内装部の挿入凹部内に挿入自在とされると共に、容器を挿着自在な容器挿着部と、前記容器挿着部に設けられ、前記容器挿着部と平行に水平方向に延び、前記容器挿着部と共に前記内装部の挿入凹部に挿入可能な非使用位置と、前記容器挿着部と直交して垂直方向に延びる使用位置との間で回動自在な把手部を具備する。
【０００７】
請求項２にかかる脱着式カップホルダは、車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、前記支持部の手前側の面に並設して脱着自在に取付けられて水平方向に延び、前記支持部と共に前記内装部の挿入凹部内に挿入自在とされると共に、各々が容器を挿着自在な複数の容器挿着部と、前記複数の容器挿着部を互いに一体的に連結する連結手段と、前記容器挿着部に設けられ、前記容器挿着部と平行に水平方向に延び、前記容器挿着部と共に前記内装部の挿入凹部に挿入可能な非使用位置と、前記容器挿着部と直交して垂直方向に延びる使用位置との間で回動自在な把手部を具備する。
【０００８】
請求項３にかかる脱着式カップホルダの前記容器挿着部は左右一対に構成され、前記支持部と容器挿着部は、前記左右の容器挿着部を上方に引っ張り上げ、前記左右の容器挿着部にそれぞれ設けられた係止手段の係止突起と係止孔との係合を解除することにより、前記左右の容器挿着部を支持部から取り外すことができる。
【０００９】
【発明の実施の形態】
以下、本発明の実施の形態を説明する。
【００１０】
図１は本発明の一実施の形態の脱着式カップホルダを示す斜視図である。図２は本発明の一実施の形態の脱着式カップホルダの支持部と容器挿着部との接続部分を示す断面図である。図３は本発明の一実施の形態の脱着式カップホルダの容器挿着部の使用状態を示す斜視図である。図４は本発明の一実施の形態の脱着式カップホルダの容器挿着部の連結手段を示す断面図である。
【００１１】
本実施の形態の脱着式カップホルダは、図１に示すように、支持部１０と左右一対の容器挿着部２０より構成される。前記支持部１０は、自動車の車内の内装部の所定位置として、例えば、インストルメントパネル１のセンター部２のオーディオ装置（図示略）の下方に設けられる。即ち、インストルメントパネル１のオーディオ装置取付用の取付凹部３の下方には、インストルメントパネル１の内部側（奥側）から表面側（手前側）に延びると共に、インストルメントパネル１の表面側で左右方向（水平方向）に延びる横長四角スリット状に開口する挿入凹部４が形成されている。また、本実施の形態の脱着式カップホルダの支持部１０は、正方形または長方形の略平板状をなし、その全体が前記挿入凹部４内に挿入自在とされている。そして、支持部１０は、全体が前記インストルメントパネル１の挿入凹部４の内方から所定距離奥まった位置に退避する退避位置と、少なくとも手前側の外側面１１が前記インストルメントパネル１の表面から露出する露出位置との間で移動自在とされる。
【００１２】
なお、支持部１０は、その露出位置で、手前側の外側面１１がインストルメントパネル１の表面と面一となるようにしてもよく、また、外側面１１を含む手前側の一部がインストルメントパネル１表面から若干突出するようにしてもよい。また、支持部１０は、公知のレール機構（図示略）等の構成により、挿入凹部４内を退避位置と露出位置との間で往復摺動自在とされ、また、退避位置では図示しないロック機構により挿入凹部４内にロックして位置固定されると共に、退避位置でその外側面１１を軽く奥側に押圧することにより、前記ロック機構のロックが解除され、図示しないばね機構により、退避位置から露出位置へと自動的に押し出されるようになっている。これらレール機構、ロック機構及びばね機構の構成自体は、従来のカップホルダに使用される構成と同様であるため、特に、図示しない。
【００１３】
前記支持部１０の外側面１１には、左半部及び右半部に、それぞれ、係止手段１２が一体形成されている。左右の係止手段１２は同一の構成であり、それぞれ、支持部１０の外側面１１下端から支持部１０より小さい肉厚で手前側に突出する一対の三角板状の接続部１２ａと、接続部１２ａ上面から前記支持部１０を超えない高さ位置まで上方に突出する一対の円柱状の係止突起１２ｂからなる。なお、支持部１０の外側面１１の右半部に位置する係止手段１２の接続部（図示略）及び係止突起１２ｂは、全体を図示しないが、左半部に位置する係止手段１２の接続部１２ａ及び係止突起１２ｂと同一の形状である。
【００１４】
前記左右一対の容器挿着部２０は、後述する連結手段の構成を除き、同一構成とされ、その各々は、中央に飲料容器５を挿入可能な直径の円形孔２１ａを有する略正方形の薄肉板状をなす上面部２１と、上面部２１の四辺から垂下するフランジ部２２より、中空の厚肉四角板状に形成されている。左右一対の容器挿着部２０は、前記左右の係止手段１３を介して、支持部１０の外側面１１に並設して脱着自在に取付けられ、支持部１０と同一平面上を左右方向（水平方向）に延びるよう配置される。即ち、各容器挿着部２０の奥側の左右コーナ部の下面側は、支持部１０の三角板状の接続部１２ａに対応する三角形状の切り欠き２３とされると共に、上面側は厚肉の載置部２４とされている。載置部２４の前記係止手段１２の各係止突起１２ｂに整合する位置には、係止突起１２ｂの外形と同一形状の円柱状をなして上下方向に延び、各係止突起１２ｂを密嵌保持する係止孔２４ａが穿設されている。そして、図２に示すように、各係止手段１２の両係止突起１２ｂに対応する容器挿着部２０の載置部２４の係止孔２４ａを密嵌することにより、容器挿着部２０の載置部２４の下面が、係止手段１２の接続部１２ａ上面に当接し、容器挿着部２０が係止手段１２により前後左右への移動不能に保持されるようになっている。これにより、容器装着部２０を前記支持部１０と一体的に移動して、インストルメントパネル１の挿入凹部４内に挿入でき、かつ、前記ばね機構により支持部１０を介して自動的に押出すよう構成されている。
【００１５】
各容器挿着部２０の手前側の側面には、中央を把手状に開放した略長方形環状をなす把手部３０が、前記容器挿着部２０の手前側の側面に沿って上下方向に回動可能なよう枢着されている。なお、図３に示すように、容器挿着部２０の手前側の側面の両端付近には、一対の半円球状のロック凸部２５が一体形成されると共に（左側のみ図示）、把手部３０の奥側の側面（容器挿着部２０と対向する側面）の両端付近には、前記ロック凸部２５と整合する位置に、一対の半円球状のロック凹部（図示略）が形成されている。そして、把手部３０は、図１の右側の容器挿着部２０におけるように、前記ロック凹部が容器挿着部２０のロック凸部２５と凹凸の関係で係合することにより、容器挿着部２０と平行に左右方向に延びる非使用位置にロックして固定される。また、把手部３０の奥側の側面の中央には、前記容器挿着部２０の手前側の側面の厚み（高さ）と同一の間隔をおいて、一対の半円球状の保持凸部３１が一体形成されている。そして、把手部３０を非使用位置から上下方向に回動付勢することにより、前記ロック凹部と容器挿着部２０のロック凸部２５との係合が解除され、把手部３０が、図１の左側の容器挿着部２０及び図３の容器挿着部２０におけるように、容器挿着部２０と直交して上下方向（垂直方向）に延びる使用位置に来たときに、前記両保持凸部３１が容器挿着部２０の手前側の側面の上下両縁と係合して、把手部３０がかかる使用位置にロックして固定される。また、左右の容器挿着部２０及びこれらの把手部３０は、左右の容器挿着部２０を左右の係止手段１２に取付け、把手部３０を非使用位置とした状態で、前記支持部１０と共に前記インストルメントパネル１の挿入凹部４内に完全に挿入され、このとき、把手部３０の手前側の側面がインストルメントパネル１表面と面一となるよう、それらの奥行き寸法がそれぞれ適宜設定されている。また、把手部３０の厚み（高さ）は、インストルメントパネル１の挿入凹部４の厚み（高さ）と略同一とされ、挿入時に、挿入凹部４の開口の略全体を閉塞するようになっている。
【００１６】
なお、各容器挿着部２０の左右側面の内部には、手前側端部から奥側に延びる爪状をなす一対の外周保持片２６が回動自在に取り付けられている。前記両外周保持片２６の基端にはそれぞればね部材（図示略）が装着され、ばね部材により両外周保持片２６を互いに接近する方向に付勢し、前記挿着孔２１ａに挿入される飲料容器５の直径に応じてその間隔を変更して、飲料容器５の外周面を弾性的に把持するようになっている。また、各容器挿着部２０の内部には、前記外周保持片２６と干渉しない位置に、左右側面及び手前側の側面に沿って延びる略チャンネル板状をなす底部保持片２７が配置されている。底部保持片２７は、その開放側（図中奥側）両端を、容器挿着部２０の左右内側面の奥側に上下方向への回動自在に取付けられている。更に、底部保持片２７の開放側両端にはそれぞればね部材（図示略）が装着され、ばね部材により底部保持片２７を下方に回動付勢し、図１及び図３に示す傾動位置で位置決めして固定するようになっている。そして、容器装着部２０をインストルメントパネル１の挿入凹部４内に挿入すると、底部保持片２７がばね部材のばね力に抗して上方に回動し、容器挿着部２０内に完全に収納されるようになっている。なお、前記外周保持片２６及び底部保持片２７は、従来のカップホルダにおいても公知であるため、それらの構成の詳細な図示は省略する。
【００１７】
前記右側の容器装着部２０の左側面（左側の容器装着部２０と対向する側面）のフランジ部２２には、両端付近に一対の掛止爪４１が一体形成されている。各掛止爪４１は、上方に開放するアングル板状をなしている。また、図４に示すように、左側容器挿着部２０の右側面（右側の容器挿着部２０と対向する側面）のフランジ部２２には、前記掛止爪４１に整合する位置に、掛止爪４１をそれぞれ挿入可能な形状の一対の掛止孔４２が穿設されている。そして、右側の容器挿着部２０の掛止爪４１を左側の容器挿着部２０の掛止孔４２に挿入して掛止することにより、左右の容器挿着部２０が互いに一体的に連結されるようになっている。前記左側の容器挿着部２０の掛止孔４２及び右側の容器挿着部２０の掛止爪４１により、本実施の形態の連結手段が構成されている。
【００１８】
次に、上記のように構成された本実施の形態の脱着式カップホルダの動作を説明する。
【００１９】
本実施の形態の脱着式カップホルダの非使用時には、左右の容器挿着部２０を連結手段としての掛止爪４１及び掛止孔４２を介して互いに一体的に連結すると共に、左右の係止手段１２を介して支持部１０に固定する。また、把手部３０を対応する容器挿着部２０と平行な非使用位置とする。そして、支持部１０のばね機構のばね力に抗して把手部３０の手前側の面を奥側に押圧付勢することにより、支持部１０、左右の容器挿着部２０及び把持部３０が、インストルメントパネル１の挿入凹部４内に順次収納され、支持部１０がロック機構により退避位置にロックして固定される。このとき、把手部３０の手前側の面がインストルメントパネル１の表面と面一となり、挿入凹部４の開口を閉塞する。また、各容器挿着部２０の底部保持片２７は、容器挿着部２０のインストルメントパネル１の挿入凹部４内への収納に伴い、挿入凹部４の下縁に摺接し、ばね部材のばね力に抗してその傾動位置から上方に押し上げられて容器挿着部２０内に収納される。
【００２０】
また、本実施の形態の脱着式カップホルダの使用時には、インストルメントパネル１の挿入凹部４の開口に露出する把手部３０の手前側の面を軽く奥側に押圧することにより、支持部１０のロック機構のロックが解除され、ばね機構により、左右の把手部３０及び容器挿着部２０が、順次、挿入凹部４から手前側の外部に押出されると共に、支持部１０が露出位置に来る。このままで、支持部１０の外側面１１がインストルメントパネル１の挿入凹部４から露出するため、左右の容器挿着部２０もインストルメントパネル１の挿入凹部４から外部に完全に露出する。これと同時に、容器挿着部２０の底部保持片２７がばね部材により下方に回動付勢されて傾動位置に固定される。これにより、紙コップ等の飲料容器５を容器挿着部２０の挿着孔２１ａに挿着すると、容器挿着部２０の一対の外周保持片２６が飲料容器５の直径に応じてその間隔を調節して飲料容器５の外周面を弾性的に保持すると共に、底部保持片２７が底部を保持し、飲料容器５が容器挿着部２０の定位置に保持されるため、飲料を飲用する使用者は、従来のカップホルダと同様にして、本実施の形態の脱着式カップホルダを使用可能となる。
【００２１】
一方、このときには、支持部１０の外側面１１がインストルメントパネル１の挿入凹部４から露出するため、左右の容器挿着部２０を上方に引っ張り上げ、左右の係止手段１２の係止突起１２ｂと係止孔２４ａとの係合を解除することにより、左右の容器挿着部２０を支持部１０から取り外すことができる。このとき、左右の容器挿着部２０は、連結手段４１及び４２により連結されているため、一体的に支持部１０から取り外される。その後、右側の容器挿着部２０の掛止爪４１を左側の容器挿着部２０の掛止孔４２から抜き取ることにより、それらの連結を解除し、左右の容器挿着部２０を別個に独立して使用可能となる。そして、容器挿着部２０の把手部３０を非使用位置から使用位置に回動して保持凸部３１により容器挿着部２０に直交して垂直状態に固定することにより、飲料を飲用する使用者は、ホットコーヒー等を収容した紙コップ等の熱い飲料容器５を直接手に持つことなく、把手部３０及び容器挿着部２０を介して間接的に保持して、容易に飲用することができる。
【００２２】
更に、図３に示すように、インストルメントパネル１の定位置以外の車内の所望位置、例えば、前部または後部ドアの内側面等に上方に開放する彎曲状をなし、各容器挿着部２０の奥側のフランジ部２２を掛止可能な形状のフック５１を配設しておくことにより、容器挿着部２０のフランジ部２１をフック５１に引っ掛けて保持することができる。その結果、定位置としてのインストルメントパネル１の挿入凹部４以外の位置でも、飲料容器５の保持の用に供することができ、従来のように、後付けのカップホルダを用意する等の必要がない。更に、脱着式カップホルダの上下にオーディオ装置乃至灰皿等が位置する場合でも、オーディオ装置乃至灰皿等の使用時には、容器挿着部２０を支持部１０から取外すことにより、飲料容器５の保持の用に供することができ、脱着式カップホルダを同時に使用することが可能となる。
【００２３】
一方、車外の自動販売機等により複数の飲料を購入して車内等に運ぶ場合には、連結手段４１及び４２を介して左右の容器挿着部２０を一体的に連結しておくことにより、それらをトレー状の運搬容器として使用でき、複数（図示の例の場合２個）の飲料容器５を一人で同時に運ぶことができる。
【００２４】
このように、上記実施の形態の脱着式カップホルダは、車内の内装部の所定位置としてのインストルメントパネル１のオーディオ装置の下側に設けた挿入凹部４に挿入され、全体が前記挿入凹部４の内方に退避する退避位置と、少なくとも手前側の外側面１１が前記インストルメントパネル１の表面から露出する露出位置との間で移動自在な支持部１０と、前記支持部１０の外側面１１に脱着自在に取付けられて水平方向に延び、前記支持部１０と共に前記インストルメントパネル１の挿入凹部４内に挿入自在とされると共に、飲料容器５を挿着自在な容器挿着部２０とを具備する実施の形態とすることができる。
【００２５】
したがって、上記実施の形態は、支持部１０を露出位置とすることにより、容器挿着部２０がインストルメントパネル１の挿入凹部４から外部に露出し、容器挿着部２０に飲料容器５を挿着して保持することが可能となる。よって、この状態でも、脱着式カップホルダを飲料容器５の保持の用に供することができる。また、この状態で、容器挿着部２０を支持部１０から取外すこともでき、この場合も、飲料容器５を容器挿着部２０に挿着保持することにより、飲料容器５の保持の用に供することができる。その結果、脱着式カップホルダの容器挿着部２０を所望時にインストルメントパネル１等から自由に取り外して任意の場所で使用することができ、常に紙コップ等の飲料容器の保持の用に供することができる。加えて、車内の任意の場所にフック５１等、容器挿着部２０を保持可能な構成を設けることにより、定位置以外の場所においても容器挿着部２０を保持して、飲料容器５の保持の用に供することができる。
【００２６】
また、上記実施の形態の脱着式カップホルダは、更に、複数の容器挿着部２０を互いに一体的に連結する連結手段としての掛止爪４１及び掛止孔４２を具備する実施の形態とすることができる。したがって、上記効果に加え、更に、複数の容器挿着部２０を連結手段としての掛止爪４１及び掛止孔４２を介して互いに一体的に連結することにより、複数の容器挿着部２０をトレー状の運搬容器として使用でき、複数の飲料容器５を一人で同時に運ぶことが可能となる。
【００２７】
更に、上記実施の形態の脱着式カップホルダは、更に、前記容器挿着部２０に設けられ、容器挿着部２０と平行に水平方向に延び、容器挿着部２０と共に前記内装部としてのインストルメントパネル１の挿入凹部４に挿入可能な非使用位置と、前記容器挿着部２０と直交して垂直方向に延びる使用位置との間で回動自在な把手部３０を具備する実施の形態とすることができる。したがって、上記効果に加え、把手部３０を介して容器挿着部２０に挿着した飲料容器５を容易に保持することができ、その保持が一層容易になる。なお、把手部３０を容器挿着部２０に設けない場合においても、使用者は容器挿着部２０を介して飲料容器５を間接的に把持することができる。
【００２８】
ところで、本発明を実施する場合には、上記実施の形態に限定されるものではなく、飲料容器を挿着自在な容器挿着部を支持部から脱着自在とする限りにおいて、任意の他の構成を採用することができる。例えば、支持部と容器挿着部との接続構造は、上記の形態による以外にも、任意のものとすることができる。また、容器挿着部の個数も２個とするほか、１個または３個以上としてもよい。また、本発明の脱着式カップホルダを後部座席用の脱着式カップホルダに具体化すべく、コンソールボックスの後面等に設けてもよい。
【００２９】
また、上記実施の形態の脱着式カップホルダの連結手段は、例えば、図５のように変更して実施してもよい。図５は本発明の一実施の形態の脱着式カップホルダの連結手段の別例を示す断面図である。
【００３０】
図５の別例は、左右の容器挿着部２０の対向側面を上記実施の形態のフランジ部２２より厚肉の中実状部２９とし、一方の容器挿着部２０の中実状部２９にあり状突起６１を、他方の容器挿着部２０の中実状部２９にあり溝６２を形成して、あり状突起６１をあり溝６２に係合する構成としている。これにより、両容器挿着部２０をより強固に連結することができる。
【００３１】
なお、上記実施の形態では、飲料容器５として缶飲料、瓶飲料、コップ飲料等とが使用できるが、本発明を実施する場合には、引用以外の容器としても使用できる。
【００３２】
【発明の効果】
以上のように、請求項１にかかる脱着式カップホルダは、車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、前記支持部の手前側の面に脱着自在に取付けられて水平方向に延び、前記支持部と共に前記内装部の挿入凹部内に挿入自在とされると共に、容器を挿着自在な容器挿着部と、前記容器挿着部に設けられ、容器挿着部と平行に水平方向に延び、容器挿着部と共に前記内装部の挿入凹部に挿入可能な非使用位置と、前記容器挿着部と直交して垂直方向に延びる使用位置との間で回動自在な把手部を具備する。
【００３３】
したがって、支持部を露出位置とすることにより、容器挿着部が内装部の挿入凹部から外部に露出し、容器挿着部に容器を挿着して保持することが可能となる。よって、この状態でも、脱着式カップホルダを容器の保持の用に供することができる。また、この状態で、容器挿着部を支持部から取外すこともでき、この場合も、容器を容器挿着部に挿着保持することにより、容器の保持の用に供することができる。その結果、容器挿着部を所望時に内装部から自由に取り外して任意の場所で使用することができ、常に紙コップ等の容器の保持の用に供することができる。更に、把手部を介して容器挿着部に挿着した容器を容易に保持することができ、その保持が一層容易になる。
【００３４】
請求項２にかかる脱着式カップホルダは、車内の内装部の所定位置に設けた挿入凹部に挿入され、全体が前記挿入凹部の内方に退避する退避位置と、少なくとも手前側の面が前記内装部の表面から露出する露出位置との間で移動自在な支持部と、前記支持部の手前側の面に並設して脱着自在に取付けられて水平方向に延び、前記支持部と共に前記内装部の挿入凹部内に挿入自在とされると共に、各々が容器を挿着自在な複数の容器挿着部と、前記複数の容器挿着部を互いに一体的に連結する連結手段と、前記容器挿着部に設けられ、容器挿着部と平行に水平方向に延び、容器挿着部と共に前記内装部の挿入凹部に挿入可能な非使用位置と、前記容器挿着部と直交して垂直方向に延びる使用位置との間で回動自在な把手部を具備する。
【００３５】
したがって、支持部を露出位置とすることにより、容器挿着部が内装部の挿入凹部から外部に露出し、容器挿着部に容器を挿着して保持することが可能となる。よって、この状態でも、脱着式カップホルダを容器の保持の用に供することができる。また、この状態で、容器挿着部を支持部から取外すこともでき、この場合も、容器を容器挿着部に挿着保持することにより、容器の保持の用に供することができる。その結果、容器挿着部を所望時に内装部から自由に取り外して任意の場所で使用することができ、常に紙コップ等の容器の保持の用に供することができる。更に、複数の容器挿着部を連結手段を介して互いに一体的に連結することにより、複数の容器挿着部をトレー状の運搬容器として使用でき、複数の容器を一人で同時に運ぶことが可能となる。また、把手部を介して容器挿着部に挿着した容器を容易に保持することができ、その保持が一層容易になる。
【００３６】
請求項３にかかる脱着式カップホルダの前記容器挿着部は左右一対に構成され、前記支持部と容器挿着部は、前記左右の容器挿着部を上方に引っ張り上げ、前記左右の容器挿着部にそれぞれ設けられた係止手段の係止突起と係止孔との係合を解除することにより、左右の前記容器挿着部を前記支持部から取り外すことができるものであるから、請求項１または請求項２の効果に加えて、容易に引用に供することができる。
【図面の簡単な説明】
【図１】  図１は本発明の一実施の形態の脱着式カップホルダを示す斜視図である。
【図２】  図２は本発明の一実施の形態の脱着式カップホルダの支持部と容器挿着部との接続部分を示す断面図である。
【図３】  図３は本発明の一実施の形態の脱着式カップホルダの容器挿着部の使用状態を示す斜視図である。
【図４】  図４は本発明の一実施の形態の脱着式カップホルダの容器挿着部の連結手段を示す断面図である。
【図５】  図５は本発明の一実施の形態の脱着式カップホルダの連結手段の別例を示す断面図である。
【符号の説明】
１        インストルメントパネル（内装部）
４        挿入凹部
５        飲料容器
１０      支持部
１１      外側面（手前側の面）
２０      容器挿着部
３０      把手部
４１      掛止爪（連結手段）
４２      掛止孔（連結手段）
６１      あり状突起（連結手段）
６２      あり溝（連結手段）
【図１】
0003879165.tif 000002
【図２】
0003879165.tif 000003
【図３】
0003879165.tif 000004
【図４】
0003879165.tif 000005
【図５】
0003879165.tif 000006